(57)【要約】      （修正有）【課題】提供者が安全かつ確実にガイド情報を提供することができるとともに、利用者が簡単な操作によって有料のガイド情報を入手することができ、利用者と提供者あるいは第三者とのコミュニケーションが容易にできる、セキュリティーコード供給用の郵送可能な物品を提供する。【解決手段】セキュリティーコード２を読み取るコード読取部等を有する可搬の音声ガイド装置において、サーバーから送信されたガイド情報を、受信部によって受信されダウンロードされるとともに、セキュリティーコード２を読み取ることによって、ガイド情報を出力する。【選択図】図１
0003179247.tif 000002
【実用新案登録請求の範囲】
【請求項１】
ガイド情報の提供に係るセキュリティーコードを供給する郵送可能な媒体であって、
前記セキュリティーコードを読み取るコード読取部、前記ガイド情報を受信する受信部、該受信された情報および読み取られたコード情報を保存・処理する処理部、前記表示情報を画面表示する表示部、前記音声情報を音声出力する音声出力部、前記表示情報および音声情報から任意の選択を担う操作部から構成され、前記ガイド情報をダウンロードする手段を有する可搬の音声ガイド装置において、
該ガイド情報が、画像や地図あるいは文字などの表示情報およびこれにリンクする音声情報からなり、該ガイド情報を記憶する手段および該ガイド情報を送信する手段を有するサーバーによって送信・提供され、該サーバーから送信されたガイド情報を、前記音声ガイド装置に中継、仲介あるいはこれと交信する伝達手段として、該ガイド情報を交信する手段を有する電子通信手段、該ガイド情報を受信し仲介する手段を有する電子機器、該ガイド情報を受信し記憶する手段を有する電子媒体、のいずれかまたはその組合せを介して、前記受信部によって受信されダウンロードされるとともに、
前記セキュリティーコードを読み取ることによって、前記ガイド情報を出力することができることを特徴とするセキュリティーコード供給用の郵送可能な媒体。
【請求項２】
前記セキュリティーコードが、少なくともＱＲコード（ＴＭ），バーコード，ユーザーＩＤあるいはパスワードのいずれかまたはいずれかの組合せからなり、前記コード読取部による読み取りあるいは前記操作部による入力によって、前記ガイド情報を出力することができることを特徴とする請求項１記載のセキュリティーコード供給用の郵送可能な媒体。
【請求項３】
前記音声ガイド装置が、前記コード情報および／または処理されたコード情報を送信する送信部を有し、前記セキュリティーコードの、前記コード読取部による読み取りまたは前記操作部による入力によって、新たなセキュリティーコードが前記サーバーから送信され、該新たなセキュリティーコードの前記操作部による入力によって、前記ガイド情報が、前記受信部によって受信されることを特徴とする請求項１または２記載のセキュリティーコード供給用の郵送可能な媒体。
【考案の詳細な説明】
【技術分野】
【０００１】
本考案は、美術館や博物館等の各種展示場、観光名所あるいは各種の講演会や結婚式等各種の宴会等において用いられる音声ガイド情報の提供に係るセキュリティーコード供給用の郵送可能な媒体に関する。ここで、郵送可能な媒体とは、はがきや封書等の郵便物のみならず、封書に入れる便箋やしおり等あるいはセキュリティーコードを郵送手段によって供給可能なカードやシート等を含む。
【背景技術】
【０００２】
美術館や各種展示場においては、来客に対して展示物の紹介・説明を音声で行うガイド用の装置（以下「音声ガイド装置」という）が用意されていることが多い。特に、高齢者や若年者を伴う家族連れの場合には、配布された説明書や展示物の前に掲示された説明書を読むことを躊躇することが多く、簡単な操作で、その説明を聞くことができることは、こうした見学者にとっても非常に好ましい。また、主催者にとっても、説明のために停滞を招き見学者の流れが悪くなることは好ましくない。こうした両者の不都合を改善する手段としても音声ガイド装置の有用性が認められている。
【０００３】
一方、昨今の携帯端末の普及に伴い、貸出し専用の音声ガイド装置等の専用機器以外のツールとして、携帯電話やインターネットなどを用いたガイド情報の入手や利用が要請されてきた。実際に、こうした携帯端末を利用したガイド情報の提供が実用化されている。例えば、図４に示すような情報配信サービスシステムおよび移動体データ送受信装置が提案されている。特定の場所に存在する携帯電話などの移動体通信端末に対して、ガイドなどの情報を配信することによって、場所に適した情報を配信することができ、誰もが簡単に、自由に情報を操作することが可能な情報配信サービスを提供することを目的とする。具体的には、移動体データ送受信手段１０１は、現在位置の位置情報を取得し、データ送受信手段１０３を介して情報制御手段１０５に送信する。情報制御手段１０５は、受信した位置情報から判断して、移動体データ送受信手段１０１がエリア１０６内にある場合のみ情報記憶手段１０４からエリア１０６に関連付けられた情報を読み出し、データ送受信手段１０３を介して移動体データ送受信手段１０１に送信することを特徴とする（例えば特許文献１参照）。ここで、１０２はユーザー、１０７は情報表示手段、１０８は操作手段を示す。
【先行技術文献】
【特許文献】
【０００４】
【特許文献１】特開２００２−３１１９７８号公報
【考案の概要】
【考案が解決しようとする課題】
【０００５】
しかしながら、こうした従来の携帯端末を用いたガイド情報の提供や利用に対しては、以下のような新たな要求や課題があった。
（ｉ）従来の専用の音声ガイドを用いた場合においては、ガイド情報の提供者（以下「提供者」ということがある）は、ガイド情報の利用者（以下「利用者」ということがある）と直接接する機会があり、ガイド情報の評価や種々の要望等を直接得ることが容易であった。また、その利用毎に、あるいは貸し出し期間等に応じて、所定の課金を徴収することができた。しかしながら、上記のような携帯端末を利用する場合には、提供者が、予め携帯端末の提供者あるいは通信サービス提供者等（以下「通信関係者」という）との間において課金支払い処理を含む種々の取決め事項を設定する必要があり、通信関係者を仲介した利用者からのメッセージの入手あるいは課金支払い処理となる。
（ii）また、携帯電話やインターネットを利用したガイド情報の提供において、通常、利用されたガイド情報は、利用者と提供者あるいは通信関係者との取り決めによって、利用者が第三者に無断で提供することはできない。一方、利用者が、特定の第三者にガイド情報の利用を奨めるために、利用したガイド情報の内容や入手方法を伝達する場合、提供者へのアクセスだけでなく、その内容を正確に伝達することは、必ずしも容易ではなく、ガイド情報に係るコミュニケーションツールの要請があった。
（iii）さらに、美術館や各種展示場に限らず、各種の講演会やレセプションあるいは結婚式等の各種の宴会等が行われた場合、後日、その様子（音声を含む）が記録された情報（ガイド情報）を、参加者あるいは参加できなかった人や関係者等、特定の人に記念品としてプレゼントしたい要望があっても、カセットやＣＤとして準備し供給するために多くの時間や費用が発生することから、迅速に対応することができなかった。簡便で安全かつ確実にガイド情報を提供する要請があった。
【０００６】
そこで、この考案の目的は、こうした要請に対応し、提供者が安全かつ確実にガイド情報を提供することができるとともに、利用者が簡単な操作によって有料のガイド情報を入手することができ、利用者と提供者あるいは第三者とのコミュニケーションが容易にできる、セキュリティーコード供給用の郵送可能な媒体を提供することにある。
【課題を解決するための手段】
【０００７】
本考案者は、鋭意研究を重ねた結果、以下に示すセキュリティーコード供給用の郵送可能な媒体によって上記目的を達成できることを見出し、本考案を完成するに到った。
【０００８】
本考案は、ガイド情報の提供に係るセキュリティーコードを供給する郵送可能な媒体であって、
前記セキュリティーコードを読み取るコード読取部、前記ガイド情報を受信する受信部、該受信された情報および読み取られたコード情報を保存・処理する処理部、前記表示情報を画面表示する表示部、前記音声情報を音声出力する音声出力部、前記表示情報および音声情報から任意の選択を担う操作部から構成され、前記ガイド情報をダウンロードする手段を有する可搬の音声ガイド装置において、
該ガイド情報が、画像や地図あるいは文字などの表示情報およびこれにリンクする音声情報からなり、該ガイド情報を記憶する手段および該ガイド情報を送信する手段を有するサーバーによって送信・提供され、該サーバーから送信されたガイド情報を、前記音声ガイド装置に中継、仲介あるいはこれと交信する伝達手段として、該ガイド情報を交信する手段を有する電子通信手段、該ガイド情報を受信し仲介する手段を有する電子機器、該ガイド情報を受信し記憶する手段を有する電子媒体、のいずれかまたはその組合せを介して、前記受信部によって受信されダウンロードされるとともに、
前記セキュリティーコードを読み取ることによって、前記ガイド情報を出力することができることを特徴とする。
【０００９】
上記のような種々の課題に対し、本考案は、セキュリティーコード供給用の郵送可能な媒体（以下「本媒体」ということがある）を介して、ＭＰ３方式などを内蔵した携帯電話やデジタルプレーヤーなどを利用して、神社・仏閣などの観光清報を表示および音声にて案内する音声ガイド装置を提供するものである。つまり、本考案は、本媒体によるセキュリティーコードの供給を契機として、以下の４つの機能を有することができる。
（１）ガイド情報の提供者によるセキュリティーコードを供給する機能
（２）利用者が有料のガイド情報を安全かつ確実に入手できる機能
（３）郵送手段による利用者と提供者あるいは第三者とのコミュニケーション機能
（４）ガイド情報の提供者によるガイド情報に対する課金を回収する機能
これによって、提供者が安全かつ確実にガイド情報を提供することができるとともに、利用者が簡単な操作によって有料のガイド情報を入手することができ、利用者と提供者あるいは第三者とのコミュニケーションが容易に行うことが可能となる。
【００１０】
本考案は、上記セキュリティーコード供給用の郵送可能な媒体であって、前記セキュリティーコードが、少なくともＱＲコード（ＴＭ，以下略す），バーコード，ユーザーＩＤあるいはパスワードのいずれかまたはいずれかの組合せからなり、前記コード読取部による読み取りあるいは前記操作部による入力によって、前記ガイド情報を出力することができることを特徴とする。
【００１１】
上記のように、ガイド情報は、利用者のみならず提供者にとっても、そのセキュリティを確保することが重要となる。本考案は、こうしたセキュリティーコードを、郵送手段を活用することによって、両者が課金や情報の安全かつ簡易な交換操作を行うことを可能にした。このとき、ＱＲコード（あるいはバーコード）の読み取りのみでガイド情報を入手できるような方法を採ることもできるが、例えば、ＱＲコード（あるいはバーコード）とユーザーＩＤ、あるいはこれらとパスワードを組合せて、ガイド装置で読み取ることによって、より安全性を確保することができる。
【００１２】
本考案は、上記セキュリティーコード供給用の郵送可能な媒体であって、前記音声ガイド装置が、前記コード情報および／または処理されたコード情報を送信する送信部を有し、前記セキュリティーコードの、前記コード読取部による読み取りまたは前記操作部による入力によって、新たなセキュリティーコードが前記サーバーから送信され、該新たなセキュリティーコードの前記操作部による入力によって、前記ガイド情報が、前記受信部によって受信されることを特徴とする。
【００１３】
上記のように、本考案は、セキュリティーコードの本媒体による供給を契機として、提供者と利用者間の双方向のコミュニケーションが可能となるという技術的効果を得ることができる。このとき、送信機能を有する音声ガイド装置を用い、常に双方向の通信を可能とすることによって、より高い安全性と確実性が確保された、ガイド情報の提供・受信とコミュニケーションが可能となる。つまり、本考案は、１回のセキュリティーコードの読み取りによってガイド情報を出力させる場合だけではなく、情報量あるいはその内容によって、提供者として再度の確認を行い、ガイド情報の提供・受信の開始したい場合において、一旦セキュリティーコードを受信した後、再度サーバーから送信された新たなセキュリティーコードの入力操作によって、より高い安全性と確実性を確保することができる。
【図面の簡単な説明】
【００１４】
【図１】本考案の音声ガイド情報提供に係る郵送可能な媒体を例示した説明図である。
【図２】本考案のガイド情報の受信方法を例示した説明図である。
【図３】本考案の音声ガイド情報提供に係る郵送可能な媒体を用いたガイド情報の受信方法を例示した説明図である。
【図４】従来の音声ガイド装置の構成を例示した説明図である。
【考案を実施するための最良の形態】
【００１５】
以下、本考案の実施の形態について、図面を参照しながら説明する。本考案は、ガイド情報の提供に係るセキュリティーコードを供給する郵送可能な媒体であって、ガイド情報をダウンロードする手段を有する可搬の音声ガイド装置において、サーバーから送信されたガイド情報が、受信されダウンロードされるとともに、供給されたセキュリティーコードを読み取ることによって、ガイド情報を出力することができることを特徴とする。
【００１６】
ここでいう「音声ガイド情報」とは、各種展示場の対象物や観光名所あるいは旧跡に係る、画像や地図あるいは文字などの表示情報およびこれにリンクする音声情報に限らず、例えば、各種の講演会の講演内容やその場の様子あるいは参加者のコメント等を整理した情報、各種のレセプションの様子や参加者名簿あるいは参加者のコメント等を整理した情報、結婚式等の各種の宴会等の様子あるいは参加者のコメント等を整理した情報、あるいは特定の関係者向けの特定企業の商品情報やＩＰ情報、等を含む広い範囲のガイド情報をいう。また、画像についても、静止画像のみならず、動画像または動画像と静止画像との組合せを含む。
【００１７】
＜本考案に係る郵送可能な媒体の構成＞
本考案に係るセキュリティーコード供給用の郵送可能な媒体（以下「本媒体」という）とは、セキュリティーコードが記載されたはがきや封書等の郵便物のみならず、封書に入れるセキュリティーコードが記載された便箋やしおり等、あるいはセキュリティーコード２を郵送手段によって供給可能なカードやシート等（図示せず）を含む。本媒体によるセキュリティーコードの供給を契機として、以下の４つの機能を有することができる。
（１）ガイド情報の提供に係るセキュリティーコードを利用者に供給する機能
本媒体の供給により、提供者は特定の利用者に対してガイド情報を安全に確実に供給することができる。
（２）郵送によるセキュリティーコードを利用者に供給する機能
郵送可能な媒体を用いることによって、安全性を確保しながら特定の利用者に対してガイド情報を安全に確実に供給することができる。
（３）郵送および媒体への記載による利用者と提供者とのコミュニケーション機能
郵送可能な媒体に、提供者からのメッセージやガイド情報に係る画像情報の一部、利用者からのメッセージや要望等を記載することによって、一方向のガイド情報の提供にとどまらず、双方向のコミュニケーションを図ることができる。
（４）ガイド情報の提供者によるガイド情報に対する課金を回収する機能
本媒体の販売により、提供者はガイド情報に対する課金を回収することができる。
【００１８】
図１（Ａ）〜（Ｃ）は、本媒体の具体例として、ガイド情報の提供に係るセキュリティーコード２が付記されたはがき１，封書３および便箋４を例示する。むろん、セキュリティーコード２の配置やその内容について、これに限定されるものではないことはいうまでもない。本媒体を用いたガイド情報の提供方法には、種々の実施態様が挙げられる。具体的には、美術館や各種展示場におけるガイド情報を異なる時間や場所で得ることができる媒体としてだけではなく、例えば、各種の講演会の講演内容等をガイド情報として提供する媒体、各種のレセプションの様子等をガイド情報として提供する媒体、あるいは各種の宴会等の様子等を引き出物の一部として提供する媒体、さらには、特定の企業情報（ガイド情報）を特定の関係者に提供する媒体として用いることができる。
【００１９】
図１（Ａ）は、表面１ａに、セキュリティーコード２が付記され、裏面１ｂに、コミュニケーション用の記載欄１ｃが設けられ、ガイド情報の対象物（例えば祇園祭等）に関する印刷物１ｄ（例えば巡行する山鉾）が付記されたはがき１（絵葉書）を例示する。記載欄１ｃに提供者や第三者（友人等）へのメセッージや要望事項等を記載し郵送することによって、コミュニケーション機能を働かせることができる。提供者からのメッセージやガイド情報に係る画像情報の一部として印刷物１ｄを付記することによってコミュニケーション機能を活かすことができる。セキュリティーコード２部分は、利用者が購入するまでシール材（図示せず）によって被覆され、利用時に剥がされ、コードが読取とられることによって、盗用や汚染を防止し、安全性を確保することができる。
【００２０】
図１（Ｂ）は、裏面３ｂに、セキュリティーコード２が付記された封書３を例示する。封書３本来の機能を活かしながら、図１（Ａ）と同様の機能を有することができる。このとき、提供されるガイド情報の概要等（例えば、展示会のパンフレットやレセプションのスケジュールや関係者名等）を封書内に入れることによって、動的な表示情報や音声情報とともに静的な表示情報を供給することができる。また、セキュリティーコード２部分のシールは、図１（Ａ）と同様にすることができる。なお、上述のように、セキュリティーコード２を表面３ａに設けることも可能である。
【００２１】
図１（Ｃ）は、封書３の表側（裏面２ｂ）にセキュリティーコード２が付記されたものではなく、市販の封書３等に入れる便箋４にセキュリティーコード２が付記された構成を例示する。コミュニケーション用の記載欄４ｃが設けられ、セキュリティーコード２，およびガイド情報の対象物に関する印刷物４ｄが付記されている。セキュリティーコード２部分は、シール等特別な処理は必要とされない。こうした便箋４に代えて、封書３によって供給可能なしおり，カードやシート等を用いることも可能である。
【００２２】
セキュリティーコード２は、少なくともＱＲコードあるいはバーコード２ａ，ユーザーＩＤあるいはパスワード２ｂのいずれかまたはいずれかの組合せを含むことが好ましい。ＱＲコードあるいはバーコード２ａを用いることによって、提供者が提供するガイド情報を確実に特定し、安全に利用者に供給することができるとともに、提供者において、種々のガイド情報を分類し、利用実績やコミュニケーションによって得られた情報を、適正に管理することができる。ユーザーＩＤあるいはパスワード２ｂを用いることによって、利用者の特定を確実に行うことができるとともに、上記同様ガイド情報を確実に特定し、安全に利用者に供給し、合せて適正に管理することができる。
【００２３】
このとき、ＱＲコードあるいはバーコード２ａと、ユーザーＩＤあるいはパスワード２ｂが組み合わされたセキュリティーコードコード２を用いることが好ましい。例えば、ユーザーＩＤまたはパスワードを含むＱＲコード（あるいはバーコード）２ａを用いることによって、より安全性を確保することができる。また、ＱＲコード（あるいはバーコード）２ａの読み取りだけではなく、後述するように、ＱＲコードあるいはバーコード２ａの読み取りに加えて、ユーザーＩＤやパスワード２ｂの入力操作との組合せによって、さらに高い安全性を確保することができる。
【００２４】
また、セキュリティーコード２の読み取りによって、ユーザーＩＤやパスワード２ｂ等の新たなセキュリティーコード２’が供給され、こうしたユーザーＩＤやパスワード２ｂの入力操作によって、ガイド情報が得られることが好ましい。２段階の操作を行うことによって、より高い安全性を確保することができる。
【００２５】
＜音声ガイド装置の構成＞
次に、本媒体を用いて、ガイド情報をダウンロードする手段を有する可搬の音声ガイド装置について説明する。例えば、セキュリティーコードを読み取るコード読取部、ガイド情報を受信する受信部、受信された情報および読み取られたコード情報を保存・処理する処理部、表示情報を画面表示する表示部、音声情報を音声出力する音声出力部、表示情報および音声情報から任意の選択を担う操作部から構成される（図示せず）。コード読取部において、本媒体のセキュリティーコード部分から１次元スキャナーによるバーコードの読み取りあるいは２次元スキャナーによるＱＲコードの読み取りを行うことによって、ガイド情報を入手することができる。音声情報は、スピーカによる出力部や端子を介したイヤホンなどにより出力することができる。操作部には、任意の表示情報あるいは音声情報を選ぶことができる操作キーが設けられ、所望の画像情報や音声情報を入手することができる。ここで、画像情報としては、静止画像のみならず動画像とすることも可能である。
【００２６】
音声ガイド装置として使用可能な機器としては、コード読取機能を有し、画像や地図あるいは文字などの表示情報および音声情報を受信することができ、利用者がその情報の選択を行うことができる機能を有するものであれば、特に限定されるものではない。具体的には、モバイル本体でガイド情報の送受信が可能な機器として、携帯電話やＰＤＡを挙げることができ、受信専用機器として、電子機器（端末専用機器を含む）を介して直接ダウンロード可能なＭＰ３プレーヤーなどのデジタルプレーヤーや、電子媒体（電子機器用の電子媒体および端末専用機器用の電子媒体を含む）を介して受信可能なポータブルプレーヤーなどを挙げることができる。
【００２７】
このとき、読み取られたコード情報および／または処理されたコード情報を送信する送信部を有する場合には、常に利用者と提供者との双方向の通信が可能となり、セキュリティーコードの読み取りを行うことによって、コードガイド情報に関する提供者やそのアクセスを行うサイト情報などを入手することができる。また、セキュリティーコードの読み取りをトリガとして、後述する電気通信手段等を介して、ガイド情報をダウンロードする構成とすることができる。音声ガイド装置にガイド情報をダウンロードした状態で、セキュリティーコードの読み取りを行う必要がなく、小容量の携帯端末であっても高画質の画像情報や高品質の音声情報を得ることができる。
【００２８】
また、セキュリティーコードのコード読取部による読み取りまたは操作部による入力によって、新たなセキュリティーコードを入手することができ、これを操作部に入力することによって、ガイド情報を受信することができ、２重のセキュリティーチェックを行うことができる。
【００２９】
＜ガイド情報の受信方法＞
次に、音声ガイド装置へのガイド情報の受信方法について、図２に基づいて述べる。音声ガイド装置１０においては、ガイド情報が、サーバー１１によって送信・提供され、電子機器１２、電子媒体１３あるいは電気通信手段１４を介して、音声ガイド装置１０の受信部によって受信されダウンロードされる。ここで、電子媒体１３とは、電子機器１２用の電子媒体１３ａおよび端末専用機器１２ｂ用の電子媒体１３ｂを含む。具体的には、次のようなガイド情報の受信ルートを採ることができる。
【００３０】
（１）サーバー１１から送信されたガイド情報を直接受信するルート
具体的には、図２（１）に例示するように、携帯電話１０ａやＰＤＡ１０ｂなどを音声ガイド装置として用い、サーバー１１からインターネットなどの電子通信手段１４を介して送信されたガイド情報を、直接受信し、ダウンロードするルートである。昨今の携帯端末の普及および高機能化によって、一層容易に、かつ簡単な操作で情報が入手でき利用することが可能となった。この場合、携帯電話１０ａやＰＤＡ１０ｂなどの携帯端末においては送信機能を有することから、利用者のセキュリティーコードの読み取り操作あるいは操作部の操作と同時に出力を送信し、読み取られたセキュリティーコードの情報をトリガとして、該当する情報が送信され、これをダウンロードすることによって、携帯端末の負荷を軽減することができる。
【００３１】
（２）電子機器１２を介してガイド情報を直接受信するルート
図２（２）に例示するように、サーバー１１からインターネットなどの電子通信手段１４を介して送信されたガイド情報を一旦電子機器１２にダウンロードし、これと接続してデジタルプレーヤー１０ｃにダウンロードするルートである。携帯電話１０ａやＰＤＡ１０ｂなどの携帯端末においては、こうしたルートを利用することも可能である。また、図２（３）に例示するように、電子機器１２にダウンロードしたガイド情報を、これと接続あるいは送受信可能な端末専用機器１２ａにおいて、ＭＰ３プレーヤーなどのデジタルプレーヤー１０ｄにダウンロードするルートも同様である。なお、電子機器１２においてダウンロードされたガイド情報を音声ガイド装置１０と送受信を行う場合については、電子機器１２がプロバイダ専用機器あるいはガイド情報の中継基地局のような役割を果たし、読み取られたセキュリティーコードの情報をトリガとして、実質的に図２（１）と同様のルートとすることができる。
【００３２】
（３）電子媒体１３を介してガイド情報を受信するルート
図２（４）に例示するように、ガイド情報がサーバー１１→電子通信手段１４→電子機器１２→電子媒体１３ａ→音声ガイド装置１０と送信されるルートである。つまり、サーバー１１からインターネットなどの電子通信手段１４を介して送信されたガイド情報を一旦電子機器１２にダウンロードし、これと接続された電子媒体１３ａにガイド情報がダウンロードされる。次に、この電子媒体１３ａをデジタルオーディオプレーヤーなどのポータブルプレーヤー１０ｅに装着することによって、ガイド情報を受信し利用することができる。携帯電話１０ａやＰＤＡ１０ｂなどの携帯端末においては、こうしたルートを利用することも可能である。小型・軽量で大容量のメモリが実用化されていることから、本音声ガイドシステムにおいて、ガイド情報の授受にこうした電子媒体１３ａを利用することが可能となった。また、図２（５）に例示するように、電子機器１２にダウンロードしたガイド情報を、これと接続あるいは送受信可能な端末専用機器１２ｂにおいて、これと接続された電子媒体１３ｂにダウンロードし、この電子媒体１３ｂをデジタルオーディオプレーヤーなどのポータブルプレーヤー１０ｆに装着するルートも同様である。
【００３３】
＜本媒体を用いたガイド情報の出力方法＞
次に、本媒体として、図１（Ａ）のような、ガイド情報の対象物（例えば祇園祭等）に関する印刷物１ｄ（例えば巡行する山鉾）が付記され、表面１ａ（宛先面）下部に、ＱＲコード２ａおよびユーザーＩＤとパスワード２ｂが付記された、はがき１（絵葉書）を用いた場合のガイド情報の出力方法について、図３（Ａ）〜（Ｃ）に基づいて述べる。ここでは、送信機能を有する携帯電話やＰＤＡなどの携帯端末１０（音声ガイド装置）を用いた場合を例として説明する。
【００３４】
（Ａ）ＱＲコードの読み取り
予めはがき１のセキュリティーコード部分２に施されていたシール（図示せず）を剥がし、音声ガイド装置１０に備えられたコード読取部によって、ＱＲコード２ａの読み取り操作を行う。読み取られたＱＲコード２ａをトリガとして、ＱＲコード２ａによって選択された特定の対象物のガイド情報が送信され、これを音声ガイド装置１０にダウンロードすることができる。このとき、表示部には、ＱＲコード２ａの読み取り完了の指示とともに、次のガイド情報の出力を選択操作に移行できるように、表示が切り替わる。
【００３５】
（Ｂ）ユーザーＩＤとパスワードの入力
表示部には、ユーザーＩＤとパスワードの入力欄が表示され、指定の位置に各々供給されたユーザーＩＤ（例えばｇｉｏｎ）とパスワード（例えばａｂｃ１２３）２ｂの入力操作を行う。入力されたユーザーＩＤとパスワード２ｂをトリガとして、ダウンロードされた特定の対象物のガイド情報を出力することができる。
【００３６】
（Ｃ）ガイド情報の出力
所望のガイド情報を得ることができる。表示部には、選択された特定の対象物の画像情報（例えば巡行中の山鉾の動画）が出力表示されるとともに、音声出力部から、特定の対象物の音声情報（例えば「この山鉾は長刀鋒で、常に祭りの先頭を巡行します・・」）が音声出力される。
【００３７】
〔他のガイド情報の出力方法〕
本媒体を用いたガイド情報の出力方法については、図３（Ａ）〜（Ｃ）に限られるものではない。
（ｉ）例えば、携帯端末が送信機能を有していない場合には、予め所望の対象物のガイド情報を含む情報を既述の中継あるいは仲介する伝達手段等を用いて、受信部によって受信しダウンロードしておき、上記操作（Ａ）によって、選択された特定の対象物のガイド情報を得ることができ、以下、操作（Ｂ）および（Ｃ）によって、ガイド情報を出力させる方法を採ることができる。
（ii）また、上記のように、１回のセキュリティーコードの読み取りによってガイド情報を出力させる場合だけではなく、セキュリティーコードの、コード読取部による読み取りまたは操作部による入力によって、新たなセキュリティーコードがサーバーから送信され、該新たなセキュリティーコードの操作部による入力によって、ガイド情報を受信あるいは出力させる方法を採ることができる。提供者として再度の確認を行い、より高い安全性と確実性を確保することができる。
【符号の説明】
【００３８】
１    絵葉書
１ａ  絵葉書の表面
１ｂ  絵葉書の裏面
１ｃ  記載欄
１ｄ  印刷物
２    セキュリティーコード
２ａ  ＱＲコードまたはバーコード
２ｂ  ユーザーＩＤまたは／およびパスワード
３    封書
３ａ  封書の表面
３ｂ  封書の裏面
４    セキュリティーコード供給用
４ｃ  記載欄
４ｄ  印刷物
【図１】
0003179247.tif 000003
【図２】
0003179247.tif 000004
【図３】
0003179247.tif 000005
【図４】
0003179247.tif 000006
【手続補正書】
【提出日】平成24年8月16日(2012.8.16)
【手続補正１】
【補正対象書類名】実用新案登録請求の範囲
【補正対象項目名】全文
【補正方法】変更
【補正の内容】
【実用新案登録請求の範囲】
【請求項１】
画像や地図あるいは文字などの表示情報およびこれにリンクする音声情報からなるガイド情報の提供に係るセキュリティーコードを供給するための葉書や封書，便箋，しおり，カード，シート等の郵送可能な物品であって、
該物品の表面または裏面の下方部に、該セキュリティーコードが付記されるとともに、
前記セキュリティーコードを読み取るコード読取部、前記ガイド情報を受信する受信部、該受信された情報および読み取られたコード情報を保存・処理する処理部、前記表示情報を画面表示する表示部、前記音声情報を音声出力する音声出力部、前記表示情報および音声情報から任意の選択を担う操作部から構成され、前記ガイド情報をダウンロードする手段を有する可搬の音声ガイド装置において、
前記ガイド情報を記憶する手段および該ガイド情報を送信する手段を有するサーバーによって送信・提供され、該サーバーから送信されたガイド情報を、前記音声ガイド装置に中継、仲介あるいはこれと交信する伝達手段として、該ガイド情報を交信する手段を有する電子通信手段、該ガイド情報を受信し仲介する手段を有する電子機器、該ガイド情報を受信し記憶する手段を有する電子媒体、のいずれかまたはその組合せを介して、前記受信部によって受信されダウンロードされるとともに、
前記セキュリティーコードを読み取ることによって、前記ガイド情報を出力することができることを特徴とするセキュリティーコード供給用の郵送可能な物品。
【請求項２】
少なくともＱＲコード（ＴＭ），バーコード，ユーザーＩＤあるいはパスワードのいずれかまたはいずれかの組合せからなる前記セキュリティーコードが、付記されていることを特徴とする請求項１記載のセキュリティーコード供給用の郵送可能な物品。
【請求項３】
前記音声ガイド装置が、前記コード情報および／または処理されたコード情報を送信する送信部を有し、前記セキュリティーコードの、前記コード読取部による読み取りまたは前記操作部による入力によって、新たなセキュリティーコードが前記サーバーから送信され、該新たなセキュリティーコードの前記操作部による入力によって、前記ガイド情報が、前記受信部によって受信されることを特徴とする請求項１または２記載のセキュリティーコード供給用の郵送可能な物品。
【手続補正２】
【補正対象書類名】明細書
【補正対象項目名】全文
【補正方法】変更
【補正の内容】
【考案の詳細な説明】
【技術分野】
【０００１】
本考案は、美術館や博物館等の各種展示場、観光名所あるいは各種の講演会や結婚式等各種の宴会等において用いられる音声ガイド情報の提供に係るセキュリティーコード供給用の郵送可能な物品に関する。ここで、郵送可能な物品とは、はがきや封書等の郵便物のみならず、封書に入れる便箋やしおり等あるいはセキュリティーコードを郵送手段によって供給可能なカードやシート等を含む。
【背景技術】
【０００２】
美術館や各種展示場においては、来客に対して展示物の紹介・説明を音声で行うガイド用の装置（以下「音声ガイド装置」という）が用意されていることが多い。特に、高齢者や若年者を伴う家族連れの場合には、配布された説明書や展示物の前に掲示された説明書を読むことを躊躇することが多く、簡単な操作で、その説明を聞くことができることは、こうした見学者にとっても非常に好ましい。また、主催者にとっても、説明のために停滞を招き見学者の流れが悪くなることは好ましくない。こうした両者の不都合を改善する手段としても音声ガイド装置の有用性が認められている。
【０００３】
一方、昨今の携帯端末の普及に伴い、貸出し専用の音声ガイド装置等の専用機器以外のツールとして、携帯電話やインターネットなどを用いたガイド情報の入手や利用が要請されてきた。実際に、こうした携帯端末を利用したガイド情報の提供が実用化されている。例えば、図４に示すような情報配信サービスシステムおよび移動体データ送受信装置が提案されている。特定の場所に存在する携帯電話などの移動体通信端末に対して、ガイドなどの情報を配信することによって、場所に適した情報を配信することができ、誰もが簡単に、自由に情報を操作することが可能な情報配信サービスを提供することを目的とする。具体的には、移動体データ送受信手段１０１は、現在位置の位置情報を取得し、データ送受信手段１０３を介して情報制御手段１０５に送信する。情報制御手段１０５は、受信した位置情報から判断して、移動体データ送受信手段１０１がエリア１０６内にある場合のみ情報記憶手段１０４からエリア１０６に関連付けられた情報を読み出し、データ送受信手段１０３を介して移動体データ送受信手段１０１に送信することを特徴とする（例えば特許文献１参照）。ここで、１０２はユーザ、１０７は情報表示手段、１０８は操作手段を示す。
【先行技術文献】
【特許文献】
【０００４】
【特許文献１】特開２００２−３１１９７８号公報
【考案の概要】
【考案が解決しようとする課題】
【０００５】
しかしながら、こうした従来の携帯端末を用いたガイド情報の提供や利用に対しては、以下のような新たな要求や課題があった。
（ｉ）従来の専用の音声ガイドを用いた場合においては、ガイド情報の提供者（以下「提供者」ということがある）は、ガイド情報の利用者（以下「利用者」ということがある）と直接接する機会があり、ガイド情報の評価や種々の要望等を直接得ることが容易であった。また、その利用毎に、あるいは貸し出し期間等に応じて、所定の課金を徴収することができた。しかしながら、上記のような携帯端末を利用する場合には、提供者が、予め携帯端末の提供者あるいは通信サービス提供者等（以下「通信関係者」という）との間において課金支払い処理を含む種々の取決め事項を設定する必要があり、通信関係者を仲介した利用者からのメッセージの入手あるいは課金支払い処理となる。
（ii）また、携帯電話やインターネットを利用したガイド情報の提供において、通常、利用されたガイド情報は、利用者と提供者あるいは通信関係者との取り決めによって、利用者が第三者に無断で提供することはできない。一方、利用者が、特定の第三者にガイド情報の利用を奨めるために、利用したガイド情報の内容や入手方法を伝達する場合、提供者へのアクセスだけでなく、その内容を正確に伝達することは、必ずしも容易ではなく、ガイド情報に係るコミュニケーションツールの要請があった。
（iii）さらに、美術館や各種展示場に限らず、各種の講演会やレセプションあるいは結婚式等の各種の宴会等が行われた場合、後日、その様子（音声を含む）が記録された情報（ガイド情報）を、参加者あるいは参加できなかった人や関係者等、特定の人に記念品としてプレゼントしたい要望があっても、カセットやＣＤとして準備し供給するために多くの時間や費用が発生することから、迅速に対応することができなかった。簡便で安全かつ確実にガイド情報を提供する要請があった。
【０００６】
そこで、この考案の目的は、こうした要請に対応し、提供者が安全かつ確実にガイド情報を提供することができるとともに、利用者が簡単な操作によって有料のガイド情報を入手することができ、利用者と提供者あるいは第三者とのコミュニケーションが容易にできる、セキュリティーコード供給用の郵送可能な物品を提供することにある。
【課題を解決するための手段】
【０００７】
本考案者は、鋭意研究を重ねた結果、以下に示すセキュリティーコード供給用の郵送可能な物品によって上記目的を達成できることを見出し、本考案を完成するに到った。
【０００８】
本考案は、画像や地図あるいは文字などの表示情報およびこれにリンクする音声情報からなるガイド情報の提供に係るセキュリティーコードを供給するための葉書や封書，便箋，しおり，カード，シート等の郵送可能な物品であって、
該物品の表面または裏面の下方部に、該セキュリティーコードが付記されるとともに、
前記セキュリティーコードを読み取るコード読取部、前記ガイド情報を受信する受信部、該受信された情報および読み取られたコード情報を保存・処理する処理部、前記表示情報を画面表示する表示部、前記音声情報を音声出力する音声出力部、前記表示情報および音声情報から任意の選択を担う操作部から構成され、前記ガイド情報をダウンロードする手段を有する可搬の音声ガイド装置において、
前記ガイド情報が、画像や地図あるいは文字などの表示情報およびこれにリンクする音声情報からなり、該ガイド情報を記憶する手段および該ガイド情報を送信する手段を有するサーバーによって送信・提供され、該サーバーから送信されたガイド情報を、前記音声ガイド装置に中継、仲介あるいはこれと交信する伝達手段として、該ガイド情報を交信する手段を有する電子通信手段、該ガイド情報を受信し仲介する手段を有する電子機器、該ガイド情報を受信し記憶する手段を有する電子媒体、のいずれかまたはその組合せを介して、前記受信部によって受信されダウンロードされるとともに、
前記セキュリティーコードを読み取ることによって、前記ガイド情報を出力することができることを特徴とする。
【０００９】
上記のような種々の課題に対し、本考案は、セキュリティーコード供給用の郵送可能な物品（以下「本物品」ということがある）を介して、ＭＰ３方式などを内蔵した携帯電話やデジタルプレーヤーなどを利用して、神社・仏閣などの観光清報を表示および音声にて案内する音声ガイド装置を提供するものである。つまり、本考案は、本物品によるセキュリティーコードの供給を契機として、以下の４つの機能を有することができる。
（１）ガイド情報の提供者によるセキュリティーコードを供給する機能
（２）利用者が有料のガイド情報を安全かつ確実に入手できる機能
（３）郵送手段による利用者と提供者あるいは第三者とのコミュニケーション機能
（４）ガイド情報の提供者によるガイド情報に対する課金を回収する機能
これによって、提供者が安全かつ確実にガイド情報を提供することができるとともに、利用者が簡単な操作によって有料のガイド情報を入手することができ、利用者と提供者あるいは第三者とのコミュニケーションが容易に行うことが可能となる。
【００１０】
本考案は、上記セキュリティーコード供給用の郵送可能な物品であって、少なくともＱＲコード（ＴＭ，以下略す），バーコード，ユーザーＩＤあるいはパスワードのいずれかまたはいずれかの組合せからなる前記セキュリティーコードが、付記されていることを特徴とする。
【００１１】
上記のように、ガイド情報は、利用者のみならず提供者にとっても、そのセキュリティを確保することが重要となる。本考案は、こうしたセキュリティーコードを、郵送手段を活用することによって、両者が課金や情報の安全かつ簡易な交換操作を行うことを可能にした。このとき、ＱＲコード（あるいはバーコード）の読み取りのみでガイド情報を入手できるような方法を採ることもできるが、例えば、ＱＲコード（あるいはバーコード）とユーザーＩＤ、あるいはこれらとパスワードを組合せて、ガイド装置で読み取ることによって、より安全性を確保することができる。
【００１２】
本考案は、上記セキュリティーコード供給用の郵送可能な物品であって、前記音声ガイド装置が、前記コード情報および／または処理されたコード情報を送信する送信部を有し、前記セキュリティーコードの、前記コード読取部による読み取りまたは前記操作部による入力によって、新たなセキュリティーコードが前記サーバーから送信され、該新たなセキュリティーコードの前記操作部による入力によって、前記ガイド情報が、前記受信部によって受信されることを特徴とする。
【００１３】
上記のように、本考案は、セキュリティーコードの本物品による供給を契機として、提供者と利用者間の双方向のコミュニケーションが可能となるという技術的効果を得ることができる。このとき、送信機能を有する音声ガイド装置を用い、常に双方向の通信を可能とすることによって、より高い安全性と確実性が確保された、ガイド情報の提供・受信とコミュニケーションが可能となる。つまり、本考案は、１回のセキュリティーコードの読み取りによってガイド情報を出力させる場合だけではなく、情報量あるいはその内容によって、提供者として再度の確認を行い、ガイド情報の提供・受信の開始したい場合において、一旦セキュリティーコードを受信した後、再度サーバーから送信された新たなセキュリティーコードの入力操作によって、より高い安全性と確実性を確保することができる。
【図面の簡単な説明】
【００１４】
【図１】本考案の音声ガイド情報提供に係る郵送可能な物品を例示した説明図である。
【図２】本考案のガイド情報の受信方法を例示した説明図である。
【図３】本考案の音声ガイド情報提供に係る郵送可能な物品を用いたガイド情報の受信方法を例示した説明図である。
【図４】従来の音声ガイド装置の構成を例示した説明図である。
【考案を実施するための最良の形態】
【００１５】
以下、本考案の実施の形態について、図面を参照しながら説明する。本考案は、ガイド情報の提供に係るセキュリティーコードを供給する郵送可能な物品であって、ガイド情報をダウンロードする手段を有する可搬の音声ガイド装置において、サーバーから送信されたガイド情報が、受信されダウンロードされるとともに、供給されたセキュリティーコードを読み取ることによって、ガイド情報を出力することができることを特徴とする。
【００１６】
ここでいう「音声ガイド情報」とは、各種展示場の対象物や観光名所あるいは旧跡に係る、画像や地図あるいは文字などの表示情報およびこれにリンクする音声情報に限らず、例えば、各種の講演会の講演内容やその場の様子あるいは参加者のコメント等を整理した情報、各種のレセプションの様子や参加者名簿あるいは参加者のコメント等を整理した情報、結婚式等の各種の宴会等の様子あるいは参加者のコメント等を整理した情報、あるいは特定の関係者向けの特定企業の商品情報やＩＰ情報、等を含む広い範囲のガイド情報をいう。また、画像についても、静止画像のみならず、動画像または動画像と静止画像との組合せを含む。
【００１７】
＜本考案に係る郵送可能な物品の構成＞
本考案に係るセキュリティーコード供給用の郵送可能な物品（以下「本物品」という）とは、セキュリティーコードが記載されたはがきや封書等の郵便物のみならず、封書に入れるセキュリティーコードが記載された便箋やしおり等、あるいはセキュリティーコード２を郵送手段によって供給可能なカードやシート等（図示せず）を含む。本物品によるセキュリティーコードの供給を契機として、以下の４つの機能を有することができる。
（１）ガイド情報の提供に係るセキュリティーコードを利用者に供給する機能
本物品の供給により、提供者は特定の利用者に対してガイド情報を安全に確実に供給することができる。
（２）郵送によるセキュリティーコードを利用者に供給する機能
郵送可能な物品を用いることによって、安全性を確保しながら特定の利用者に対してガイド情報を安全に確実に供給することができる。
（３）郵送および物品への記載による利用者と提供者とのコミュニケーション機能
郵送可能な物品に、提供者からのメッセージやガイド情報に係る画像情報の一部、利用者からのメッセージや要望等を記載することによって、一方向のガイド情報の提供にとどまらず、双方向のコミュニケーションを図ることができる。
（４）ガイド情報の提供者によるガイド情報に対する課金を回収する機能
本物品の販売により、提供者はガイド情報に対する課金を回収することができる。
【００１８】
図１（Ａ）〜（Ｃ）は、本物品の具体例として、ガイド情報の提供に係るセキュリティーコード２が付記されたはがき１，封書３および便箋４を例示する。むろん、セキュリティーコード２の配置やその内容について、これに限定されるものではないことはいうまでもない。本物品を用いたガイド情報の提供方法には、種々の実施態様が挙げられる。具体的には、美術館や各種展示場におけるガイド情報を異なる時間や場所で得ることができる物品としてだけではなく、例えば、各種の講演会の講演内容等をガイド情報として提供する物品、各種のレセプションの様子等をガイド情報として提供する物品、あるいは各種の宴会等の様子等を引き出物の一部として提供する物品、さらには、特定の企業情報（ガイド情報）を特定の関係者に提供する物品として用いることができる。
【００１９】
図１（Ａ）は、表面１ａに、セキュリティーコード２が付記され、裏面１ｂに、コミュニケーション用の記載欄１ｃが設けられ、ガイド情報の対象物（例えば祇園祭等）に関する印刷物１ｄ（例えば巡行する山鉾）が付記されたはがき１（絵葉書）を例示する。記載欄１ｃに提供者や第三者（友人等）へのメセッージや要望事項等を記載し郵送することによって、コミュニケーション機能を働かせることができる。提供者からのメッセージやガイド情報に係る画像情報の一部として印刷物１ｄを付記することによってコミュニケーション機能を活かすことができる。セキュリティーコード２部分は、利用者が購入するまでシール材（図示せず）によって被覆され、利用時に剥がされ、コードが読取とられることによって、盗用や汚染を防止し、安全性を確保することができる。
【００２０】
図１（Ｂ）は、裏面３ｂに、セキュリティーコード２が付記された封書３を例示する。封書３本来の機能を活かしながら、図１（Ａ）と同様の機能を有することができる。このとき、提供されるガイド情報の概要等（例えば、展示会のパンフレットやレセプションのスケジュールや関係者名等）を封書内に入れることによって、動的な表示情報や音声情報とともに静的な表示情報を供給することができる。また、セキュリティーコード２部分のシールは、図１（Ａ）と同様にすることができる。なお、上述のように、セキュリティーコード２を表面３ａに設けることも可能である。
【００２１】
図１（Ｃ）は、封書３の表側（裏面２ｂ）にセキュリティーコード２が付記されたものではなく、市販の封書３等に入れる便箋４にセキュリティーコード２が付記された構成を例示する。コミュニケーション用の記載欄４ｃが設けられ、セキュリティーコード２，およびガイド情報の対象物に関する印刷物４ｄが付記されている。セキュリティーコード２部分は、シール等特別な処理は必要とされない。こうした便箋４に代えて、封書３によって供給可能なしおり，カードやシート等を用いることも可能である。
【００２２】
セキュリティーコード２は、少なくともＱＲコードあるいはバーコード２ａ，ユーザーＩＤあるいはパスワード２ｂのいずれかまたはいずれかの組合せを含むことが好ましい。ＱＲコードあるいはバーコード２ａを用いることによって、提供者が提供するガイド情報を確実に特定し、安全に利用者に供給することができるとともに、提供者において、種々のガイド情報を分類し、利用実績やコミュニケーションによって得られた情報を、適正に管理することができる。ユーザーＩＤあるいはパスワード２ｂを用いることによって、利用者の特定を確実に行うことができるとともに、上記同様ガイド情報を確実に特定し、安全に利用者に供給し、合せて適正に管理することができる。
【００２３】
このとき、ＱＲコードあるいはバーコード２ａと、ユーザーＩＤあるいはパスワード２ｂが組み合わされたセキュリティーコードコード２を用いることが好ましい。例えば、ユーザーＩＤまたはパスワードを含むＱＲコード（あるいはバーコード）２ａを用いることによって、より安全性を確保することができる。また、ＱＲコード（あるいはバーコード）２ａの読み取りだけではなく、後述するように、ＱＲコードあるいはバーコード２ａの読み取りに加えて、ユーザーＩＤやパスワード２ｂの入力操作との組合せによって、さらに高い安全性を確保することができる。
【００２４】
また、セキュリティーコード２の読み取りによって、ユーザーＩＤやパスワード２ｂ等の新たなセキュリティーコード２’が供給され、こうしたユーザーＩＤやパスワード２ｂの入力操作によって、ガイド情報が得られることが好ましい。２段階の操作を行うことによって、より高い安全性を確保することができる。
【００２５】
＜音声ガイド装置の構成＞
次に、本物品を用いて、ガイド情報をダウンロードする手段を有する可搬の音声ガイド装置について説明する。例えば、セキュリティーコードを読み取るコード読取部、ガイド情報を受信する受信部、受信された情報および読み取られたコード情報を保存・処理する処理部、表示情報を画面表示する表示部、音声情報を音声出力する音声出力部、表示情報および音声情報から任意の選択を担う操作部から構成される（図示せず）。コード読取部において、本物品のセキュリティーコード部分から１次元スキャナーによるバーコードの読み取りあるいは２次元スキャナーによるＱＲコードの読み取りを行うことによって、ガイド情報を入手することができる。音声情報は、スピーカによる出力部や端子を介したイヤホンなどにより出力することができる。操作部には、任意の表示情報あるいは音声情報を選ぶことができる操作キーが設けられ、所望の画像情報や音声情報を入手することができる。ここで、画像情報としては、静止画像のみならず動画像とすることも可能である。
【００２６】
音声ガイド装置として使用可能な機器としては、コード読取機能を有し、画像や地図あるいは文字などの表示情報および音声情報を受信することができ、利用者がその情報の選択を行うことができる機能を有するものであれば、特に限定されるものではない。具体的には、モバイル本体でガイド情報の送受信が可能な機器として、携帯電話やＰＤＡを挙げることができ、受信専用機器として、電子機器（端末専用機器を含む）を介して直接ダウンロード可能なＭＰ３プレーヤーなどのデジタルプレーヤーや、電子媒体（電子機器用の電子媒体および端末専用機器用の電子媒体を含む）を介して受信可能なポータブルプレーヤーなどを挙げることができる。
【００２７】
このとき、読み取られたコード情報および／または処理されたコード情報を送信する送信部を有する場合には、常に利用者と提供者との双方向の通信が可能となり、セキュリティーコードの読み取りを行うことによって、コードガイド情報に関する提供者やそのアクセスを行うサイト情報などを入手することができる。また、セキュリティーコードの読み取りをトリガとして、後述する電気通信手段等を介して、ガイド情報をダウンロードする構成とすることができる。音声ガイド装置にガイド情報をダウンロードした状態で、セキュリティーコードの読み取りを行う必要がなく、小容量の携帯端末であっても高画質の画像情報や高品質の音声情報を得ることができる。
【００２８】
また、セキュリティーコードのコード読取部による読み取りまたは操作部による入力によって、新たなセキュリティーコードを入手することができ、これを操作部に入力することによって、ガイド情報を受信することができ、２重のセキュリティーチェックを行うことができる。
【００２９】
＜ガイド情報の受信方法＞
次に、音声ガイド装置へのガイド情報の受信方法について、図２に基づいて述べる。音声ガイド装置１０においては、ガイド情報が、サーバー１１によって送信・提供され、電子機器１２、電子媒体１３あるいは電気通信手段１４を介して、音声ガイド装置１０の受信部によって受信されダウンロードされる。ここで、電子媒体１３とは、電子機器１２用の電子媒体１３ａおよび端末専用機器１２ｂ用の電子媒体１３ｂを含む。具体的には、次のようなガイド情報の受信ルートを採ることができる。
【００３０】
（１）サーバー１１から送信されたガイド情報を直接受信するルート
具体的には、図２（１）に例示するように、携帯電話１０ａやＰＤＡ１０ｂなどを音声ガイド装置として用い、サーバー１１からインターネットなどの電子通信手段１４を介して送信されたガイド情報を、直接受信し、ダウンロードするルートである。昨今の携帯端末の普及および高機能化によって、一層容易に、かつ簡単な操作で情報が入手でき利用することが可能となった。この場合、携帯電話１０ａやＰＤＡ１０ｂなどの携帯端末においては送信機能を有することから、利用者のセキュリティーコードの読み取り操作あるいは操作部の操作と同時に出力を送信し、読み取られたセキュリティーコードの情報をトリガとして、該当する情報が送信され、これをダウンロードすることによって、携帯端末の負荷を軽減することができる。
【００３１】
（２）電子機器１２を介してガイド情報を直接受信するルート
図２（２）に例示するように、サーバー１１からインターネットなどの電子通信手段１４を介して送信されたガイド情報を一旦電子機器１２にダウンロードし、これと接続してデジタルプレーヤー１０ｃにダウンロードするルートである。携帯電話１０ａやＰＤＡ１０ｂなどの携帯端末においては、こうしたルートを利用することも可能である。また、図２（３）に例示するように、電子機器１２にダウンロードしたガイド情報を、これと接続あるいは送受信可能な端末専用機器１２ａにおいて、ＭＰ３プレーヤーなどのデジタルプレーヤー１０ｄにダウンロードするルートも同様である。なお、電子機器１２においてダウンロードされたガイド情報を音声ガイド装置１０と送受信を行う場合については、電子機器１２がプロバイダ専用機器あるいはガイド情報の中継基地局のような役割を果たし、読み取られたセキュリティーコードの情報をトリガとして、実質的に図２（１）と同様のルートとすることができる。
【００３２】
（３）電子媒体１３を介してガイド情報を受信するルート
図２（４）に例示するように、ガイド情報がサーバー１１→電子通信手段１４→電子機器１２→電子媒体１３ａ→音声ガイド装置１０と送信されるルートである。つまり、サーバー１１からインターネットなどの電子通信手段１４を介して送信されたガイド情報を一旦電子機器１２にダウンロードし、これと接続された電子媒体１３ａにガイド情報がダウンロードされる。次に、この電子媒体１３ａをデジタルオーディオプレーヤーなどのポータブルプレーヤー１０ｅに装着することによって、ガイド情報を受信し利用することができる。携帯電話１０ａやＰＤＡ１０ｂなどの携帯端末においては、こうしたルートを利用することも可能である。小型・軽量で大容量のメモリが実用化されていることから、本音声ガイドシステムにおいて、ガイド情報の授受にこうした電子媒体１３ａを利用することが可能となった。また、図２（５）に例示するように、電子機器１２にダウンロードしたガイド情報を、これと接続あるいは送受信可能な端末専用機器１２ｂにおいて、これと接続された電子媒体１３ｂにダウンロードし、この電子媒体１３ｂをデジタルオーディオプレーヤーなどのポータブルプレーヤー１０ｆに装着するルートも同様である。
【００３３】
＜本物品を用いたガイド情報の出力方法＞
次に、本物品として、図１（Ａ）のような、ガイド情報の対象物（例えば祇園祭等）に関する印刷物１ｄ（例えば巡行する山鉾）が付記され、表面１ａ（宛先面）下部に、ＱＲコード２ａおよびユーザーＩＤとパスワード２ｂが付記された、はがき１（絵葉書）を用いた場合のガイド情報の出力方法について、図３（Ａ）〜（Ｃ）に基づいて述べる。ここでは、送信機能を有する携帯電話やＰＤＡなどの携帯端末１０（音声ガイド装置）を用いた場合を例として説明する。
【００３４】
（Ａ）ＱＲコードの読み取り
予めはがき１のセキュリティーコード部分２に施されていたシール（図示せず）を剥がし、音声ガイド装置１０に備えられたコード読取部によって、ＱＲコード２ａの読み取り操作を行う。読み取られたＱＲコード２ａをトリガとして、ＱＲコード２ａによって選択された特定の対象物のガイド情報が送信され、これを音声ガイド装置１０にダウンロードすることができる。このとき、表示部には、ＱＲコード２ａの読み取り完了の指示とともに、次のガイド情報の出力を選択操作に移行できるように、表示が切り替わる。
【００３５】
（Ｂ）ユーザーＩＤとパスワードの入力
表示部には、ユーザーＩＤとパスワードの入力欄が表示され、指定の位置に各々供給されたユーザーＩＤ（例えばｇｉｏｎ）とパスワード（例えばａｂｃ１２３）２ｂの入力操作を行う。入力されたユーザーＩＤとパスワード２ｂをトリガとして、ダウンロードされた特定の対象物のガイド情報を出力することができる。
【００３６】
（Ｃ）ガイド情報の出力
所望のガイド情報を得ることができる。表示部には、選択された特定の対象物の画像情報（例えば巡行中の山鉾の動画）が出力表示されるとともに、音声出力部から、特定の対象物の音声情報（例えば「この山鉾は長刀鋒で、常に祭りの先頭を巡行します・・」）が音声出力される。
【００３７】
〔他のガイド情報の出力方法〕
本物品を用いたガイド情報の出力方法については、図３（Ａ）〜（Ｃ）に限られるものではない。
（ｉ）例えば、携帯端末が送信機能を有していない場合には、予め所望の対象物のガイド情報を含む情報を既述の中継あるいは仲介する伝達手段等を用いて、受信部によって受信しダウンロードしておき、上記操作（Ａ）によって、選択された特定の対象物のガイド情報を得ることができ、以下、操作（Ｂ）および（Ｃ）によって、ガイド情報を出力させる方法を採ることができる。
（ii）また、上記のように、１回のセキュリティーコードの読み取りによってガイド情報を出力させる場合だけではなく、セキュリティーコードの、コード読取部による読み取りまたは操作部による入力によって、新たなセキュリティーコードがサーバーから送信され、該新たなセキュリティーコードの操作部による入力によって、ガイド情報を受信あるいは出力させる方法を採ることができる。提供者として再度の確認を行い、より高い安全性と確実性を確保することができる。
【符号の説明】
【００３８】
１    絵葉書
１ａ  絵葉書の表面
１ｂ  絵葉書の裏面
１ｃ  記載欄
１ｄ  印刷物
２    セキュリティーコード
２ａ  ＱＲコードまたはバーコード
２ｂ  ユーザーＩＤまたは／およびパスワード
３    封書
３ａ  封書の表面
３ｂ  封書の裏面
４    セキュリティーコード供給用
４ｃ  記載欄
４ｄ  印刷物